(57)【要約】【課題】機器の作動状態に応じた特定の表示部を強調して発光させても、表示部自体の存在を認識させる機能を維持するとともに、該特定の表示部を発光させるための光が該特定の表示部に隣接する表示部へ漏れることを抑制することができる表示装置を提供する。【解決手段】第１、第２の表示部２ｄ、ｅを有する表示板３、第１、第２の受光部８ｄ、ｅを有し第１、第２の受光部８ｄ、ｅで受光した光を第１、第２の表示部２ｄ、ｅに導く導光体６、第１、第２の受光部８ｄ、ｅに光を照射する第１、第２の光源１４ｄ、ｅおよび第１、第２の表示部２ｄ、ｅに光を照射する第３の光源１５ｂを備え、導光体６の第１、第２の受光部８ｄ、ｅとの間には第１の受光部８ｄからの光が第２の表示部２ｅへ導かれることを抑制し、第２の受光部８ｅからの光が第１の表示部２ｄへ導かれることを抑制する第１の遮光部１１が設けられる。【選択図】図２
2008040167.tif 000002
【特許請求の範囲】
【請求項１】
機器の状態を表示する表示装置において、
文字、記号などからなる第１の表示部と、第２の表示部とを有する表示板、
前記表示板の裏面側に設けられ、第１の受光部と第２の受光部を有し、前記第１の受光部で受光した光を前記第１の表示部に導き、前記第２の受光部で受光した光を前記第２の受光部で受光した光を前記第２の表示部に導く導光体、
前記導光体の第１の受光部に光を照射する第１の光源、
前記導光体の第２の受光部に光を照射する第２の光源、
および、前記導光体の裏面側に設けられ、前記導光体を介して前記第１、第２の表示部に光を照射する第３の光源を備え、
前記第１の光源、および前記第２の光源は、前記機器の状態に関連して点灯する光源であり、
前記第３の光源は、常時点灯または消灯可能な光源であり、
前記導光体の前記第１の受光部と前記第２の受光部との間には、前記第１の受光部からの光が前記第２の表示部へ導かれることを抑制し、前記第２の受光部からの光が前記第１の表示部へ導かれることを抑制する第１の遮光部が設けられていることを特徴とする表示装置。
【請求項２】
前記第１の遮光部は、貫通孔であることを特徴とする請求項１に記載の表示装置。
【請求項３】
前記第１の遮光部は、反射板であり、該反射板は前記導光体に埋め込まれていることを特徴とする請求項１に記載の表示装置。
【請求項４】
前記導光体の前記第１の表示部および前記第２の表示部に対向する部位の表面または裏面には、乱反射部が形成されていることを特徴とする請求項１から請求項３のいずれか一項に記載の表示装置。
【請求項５】
前記導光体は板状部を有しており、前記乱反射部は、該板状部に形成されており、
前記板状部の前記乱反射部が形成されている部位は、前記板状部内を進む光の進行方向に向かうに従い板厚が小さくなるような傾斜面を有しており、
前記乱反射部は、前記傾斜面に形成されていることを特徴とする請求項４に記載の表示装置。
【請求項６】
前記導光体は板状部を有しており、前記乱反射部は、該板状部に形成されており、
前記板状部の前記乱反射部が形成されている部位は、前記板状部内を進む光の進行方向に向かうに従い板厚が小さくなるような傾斜面を有しており、
前記乱反射部は、前記傾斜面と対面する面上に形成されていることを特徴とする請求項４に記載の表示装置。
【請求項７】
前記導光体と前記第３の光源との間には、前記第３の光源からの光を拡散させる拡散板を備えていることを特徴とする請求項１から請求項６のいずれか一項に記載の表示装置。
【請求項８】
前記拡散板の前記導光体に対向する面上には、突起が形成されており、
この突起は、前記貫通孔または前記スリット内に位置していることを特徴とする請求項７に記載の表示装置。
【請求項９】
前記導光体と前記第３の光源との間には、前記第３の光源からの光が直接、前記第１および前記第２の表示部に入射されないよう光を遮光し、かつ、前記第３の光源からの光を間接的に前記第１および前記第２の表示部に入射させる第２の遮光部を備えていることを特徴とする請求項１から請求項６のいずれか一項に記載の表示装置。
【請求項１０】
前記第３の光源は、輝度調整可能な光源であることを特徴とする請求項１から請求項９のいずれか一項に記載の表示装置。
【請求項１１】
請求項１から１０に記載の表示装置は、自動車用表示装置であることを特徴とする表示装置。
【発明の詳細な説明】
【技術分野】
【０００１】
本発明は、表示装置に関するものであり、自動車などに用いて好適である。
【背景技術】
【０００２】
従来のインジケータ装置１００を図９に示す。この従来のインジケータ装置１００は、表示部２００と、表示部２００の裏面に設けられる導光板３００と、前記導光板３００に光を照射し、表示部２００自体の存在を明瞭にする夜間照明用光源４００と、前記導光板３００の裏面側に設けられ前記導光板３００を介して特定の表示部２００に光を照射し、運転者などに情報を示唆するインジケータ用光源５００を有する（特許文献１参照）。
【０００３】
更に、この導光板３００の裏面には、前記インジケータ用光源５００から前記表示部２００に向かって照射された光が、導光板３００を介して、本来、発光させるべきでない隣接する表示部（図示しない）へ光が漏れてしまうことを防止する環状突起部材６００が設けられている。
【０００４】
この環状突起部材６００は、内側に反射面７００を有し、前記インジケータ用光源５００から照射される所定の照射角を有する光の内、前記表示部２００の外側に照射される光をこの反射面７００で反射させ、前記表示部２００に導くことにより、表示部２００の夜間照明という機能を確保しつつ、インジケータ用光源５００から照射された光が隣接する表示部に漏れてしまうことを防止している。
【特許文献１】特開２００２−２６４６９０号公報
【発明の開示】
【発明が解決しようとする課題】
【０００５】
ところが、上述の構成を有するインジケータ装置１００であっても、光が上記特定の表示部２００に隣接する表示部に漏れる可能性がある。なぜなら、表示部２００の直下部分の導光板３００にて反射した光が、光源５００が設けられているハウジング８００に反射し、その反射した光が前記環状突起部材６００の外側部分の導光板３００に照射されるからである。導光板３００内には光を遮るものが何もないので、前記外側部分の導光板３００に照射された光は、隣接する表示部に漏れてしまう。
【０００６】
本発明は、このような従来技術の問題点に鑑みてなされたものであり、その目的は、機器の作動状態に応じた特定の表示部を強調して発光させても、表示部自体の存在を認識させる機能を維持するとともに、該特定の表示部を発光させるための光が該特定の表示部に隣接する表示部へ漏れることを抑制することができる表示装置を提供することである。
【課題を解決するための手段】
【０００７】
上記目的を達成するために、請求項１に記載の発明によれば、機器の状態を表示する表示装置において、
文字、記号などからなる第１の表示部と、第２の表示部とを有する表示板、
前記表示板の裏面側に設けられ、第１の受光部と第２の受光部を有し、前記第１の受光部で受光した光を前記第１の表示部に導き、前記第２の受光部で受光した光を前記第２の受光部で受光した光を前記第２の表示部に導く導光体、
前記導光体の第１の受光部に光を照射する第１の光源、
前記導光体の第２の受光部に光を照射する第２の光源、
および、前記導光体の裏面側に設けられ、前記導光体を介して前記第１、第２の表示部に光を照射する第３の光源を備え、
前記第１の光源、および前記第２の光源は、前記機器の状態に関連して点灯する光源であり、
前記第３の光源は、常時点灯または消灯可能な光源であり、
前記導光体の、前記第１の表示部と前記第２の表示部との間の部位に対面する部位には、前記第１の受光部からの光が前記第２の表示部へ導かれることを抑制し、前記第２の受光部からの光が前記第１の表示部へ導かれることを抑制する第１の遮光部が設けられていることを特徴としている。
【０００８】
この構成によれば、第１、第２の表示部を有する表示板の裏面側に、機器の状態に応じて選択的に点灯する第１、第２の光源からの光を受光し、第１、第２の表示部を強調して発光させるべく、各光源からの光を第１、第２の表示部へ導く導光体が設けられている。機器の状態に応じて、第１、第２の光源が点灯すると、点灯した光源に応じた表示部が発光する。これにより、機器の操作者は、機器の作動状態を認識できる。
【０００９】
また、導光体の第１の受光部と第２の受光部との間には、第１の受光部からの光が第２の表示部へ導かれることを抑制し、第２の受光部からの光が第１の表示部へ導かれることを抑制する第１の遮光部が設けられているので、例えば、第１の表示部を発光させるべく、第１の光源を点灯させたとき、第１の光源からの光は、この第１の遮光部にて第２の表示部への光の漏れが抑制され、漏れた光によって第２の表示部が光ってしまうということを抑制することができる。
【００１０】
更に加えて、導光体の裏面側には、常時点灯または消灯可能な第３の光源が設けられているので、第３の光源が点灯することにより、第１、第２の表示部の両方を発光させることができる。これにより、機器の操作者は、表示板にどのような種類の表示部が存在しているのかを認識できる。
【００１１】
つまり、この発明によれば、表示部自体の存在を認識させる機能を維持するとともに、特定の表示部を発光させたとき、該特定の表示部を発光させるための光が該特定の表示部に隣接する表示部へ漏れ、該隣接する表示部も発光させてしまうことを抑制することができる。
【００１２】
請求項２に記載の発明によれば、前記第１の遮光部は、貫通孔であることを特徴としている。この構成によれば、導光体に貫通孔という簡素な構成で第１の遮光部を設けることができる。
【００１３】
請求項３に記載の発明によれば、前記第１の遮光部は、反射板であり、該反射板は前記導光体に埋め込まれていることを特徴としている。この構成によれば、遮光性を高めることができる。
【００１４】
請求項４に記載の発明によれば、前記導光体の前記第１の表示部および前記第２の表示部に対向する部位の表面または裏面には、乱反射部が形成されていることを特徴としている。この構成によれば、導光体に導かれた光はこの乱反射部で乱反射するので、第１、第２の表示部をより強調して発光させることができる。
【００１５】
請求項５に記載の発明によれば、前記導光体は板状部を有しており、前記乱反射部は、該板状部に形成されており、
前記板状部の前記乱反射部が形成されている部位は、前記板状部内を進む光の進行方向に向かうに従い板厚が小さくなるような傾斜面を有しており、
前記乱反射部は、前記傾斜面に形成されていることを特徴としている。
【００１６】
この構成によれば、板状部を進む光を導光体の壁面に反射させることなく、乱反射部に導くことができるので、乱反射部における輝度を向上させることができ、第１、第２の表示部をより強調して発光させることができる。
【００１７】
請求項６に記載の発明によれば、前記導光体は板状部を有しており、前記乱反射部は、該板状部に形成されており、
前記板状部の前記乱反射部が形成されている部位は、前記板状部内を進む光の進行方向に向かうに従い板厚が小さくなるような傾斜面を有しており、
前記乱反射部は、前記傾斜面と対面する面上に形成されていることを特徴としている。
【００１８】
この構成によれば、板状部を進む光を傾斜面に一旦反射させ、反射した光を乱反射部に導くことができるので、乱反射部における輝度を向上させることができ、第１、第２の表示部をより強調して発光させることができる。
【００１９】
請求項７に記載の発明によれば、前記導光体と前記第３の光源との間には、前記第３の光源からの光を拡散させる拡散板を備えていることを特徴としている。この構成によれば、第３の光源を点灯したときの、表示部の発光ムラを低減することができる。
【００２０】
請求項８に記載の発明によれば、前記拡散板の前記導光体に対向する面上には、突起が形成されており、この突起は、前記貫通孔または前記貫通孔内に位置していることを特徴としている。この構成によれば、貫通孔の壁面から漏れた光をこの突起で遮光することができる。
【００２１】
請求項９に記載の発明によれば、前記導光体と前記第３の光源との間には、前記第３の光源からの光が直接、前記第１および前記第２の表示部に入射されないよう光を遮光し、かつ、前記第３の光源からの光を間接的に前記第１および前記第２の表示部に入射させる第２の遮光部を備えていることを特徴としている。
【００２２】
この構成によれば、第３の光源を点灯したときの、表示部の発光ムラを低減することができる。
【００２３】
請求項１０に記載の発明によれば、前記第３の光源は、輝度調整可能な光源であることを特徴としている。例えば、第３の光源の輝度を低下するもしくは、消灯することにより、強調して発光させている特定の表示部と他の表示部との明るさの差を大きくすることができ、特定の表示部の視認性が向上する。
【００２４】
請求項１１に記載の発明によれば、表示装置は自動車用表示装置であることを特徴としている。自動車に用いられる表示装置は、運転に必要な情報（例えば、シフトポジションなど）を運転者に正しく伝えなければならない。請求項１から１０に記載の発明を自動車用表示装置に適用することにより、運転者に運転に必要な情報を正しく伝えることができ、運転者は自動車を安全に走行させることができる。
【発明を実施するための最良の形態】
【００２５】
（第１実施形態）
本発明の表示装置を、自動車のコンビネーションメータ中において変速機のシフトレバー位置を表示するレバーポジションインジケータ１に適用した場合を例に、図１および図２に基づいて説明する。図１は、本実施形態のレバーポジションインジケータ１の正面図であり、図２は、本実施形態の特徴的な部分を示す断面図であり、図１中におけるＩＩ−ＩＩ線断面図である。
【００２６】
コンビネーションメータは、自動車の車室内において運転席前方の運転者から視認可能な位置に設けられ、当該自動車に関する各種情報、例えば走行速度、エンジン回転数あるいは燃料タンク内残存燃料量などを表示するものである。
【００２７】
レバーポジションインジケータ１は、上述のコンビネーションメータの一角に配置されている。図１に示すように、レバーポジションインジケータ１は、シフトレバーのレバーポジションに対応する表示部２ａ〜２ｈを有し、現在使用中のレバーポジションに対応した表示部だけを発光させることにより、運転者に現在使用中のレバーポジションを知らせる表示装置である。
【００２８】
次に、本実施形態のレバーポジションインジケータ１（以下、インジケータ１という）の構成について説明する。インジケータ１は、図１および図２に示すように、複数の表示部２ａ〜２ｈを有する表示板３、表示板３の裏面側に配置され、表示部２ａ〜２ｈに光を導く導光体としての導光板６、表示部２ａ〜２ｈを個別に発光させるべく導光板６に光を照射する複数のインジケータ用光源１４ａ〜１４ｈ、および、運転者に表示部２ａ〜２ｈ自体の存在を認識させるべく、表示部２ａ〜２ｈを照らす照明用光源１５ａ、１５ｂからなっている。
【００２９】
表示部２ａ〜２ｈは、図１に示すように、Ｐ、Ｒ、Ｎ、Ｄ、４、３、２、Ｌの８種類があり、それらは、所定のパターンで表示板３上に配列されている。この配列パターンは、シフトレバーのゲートパターンと同じ様な配列となっている。
【００３０】
また、この表示部２ａ〜２ｈの配列パターンは、車種毎に変えることができる。例えば、図１の実線で示した表示部２ａ〜２ｃ、２ｆを２点鎖線で示した位置に変えることにより、表示部２ａ〜２ｈの配列パターンを変えることができる。
【００３１】
インジケータ用光源１４ａ〜１４ｈおよび照明用光源１５ａ、１５ｂは、例えば発光ダイオードなどからなっている。
【００３２】
図１および図２に示すように、表示板３は、透光性材料、例えば透明なポリカーボネート樹脂などからなる平板４と、平板４の表面および裏面に形成される遮光層５からなっている。遮光層５は、黒色などの遮光性の比較的高い層であり、平板４の表面に印刷などによって形成されている。表示部２ａ〜２ｈは、Ｐ、Ｒ、Ｎ、Ｄ、４、３、２、Ｌという文字以外の部分に遮光層５を平板４に印刷することにより形成される。
【００３３】
なお、図２に示す断面図では、表示板３に２つの表示部２ｄ、２ｅが形成される。本実施形態では、図中向かって右側の表示部２ｄが請求項に記載の第１の表示部に相当し、図中向かって左側の表示部２ｅが請求項に記載の第２の表示部に相当する。
【００３４】
図２に示すように、表示板３の裏面側には、導光板６が配置されている。導光板６は、透光性材料、例えばアクリル樹脂などから形成される。導光板６は、表示板３に対して略平行に配置される板状部７、板状部７の両端部から下方に延びる２つの受光部８ｄ、８ｅ、および、板状部７とそれぞれの受光部８ｄ、８ｅとの間に設けられ、受光部８ｄ、８ｅからの光を板状部７の中央に向かって導く反射部９ｄ、９ｅからなっている。上記受光部８ｄ、８ｅが請求項に記載の第１の受光部、第２の受光部に相当する。
【００３５】
上記板状部７の上面には、受光部８ｄ、８ｅ、反射部９ｄ、９ｅを経由してきた光を乱反射させ、表示部２ｄ、２ｅに乱反射した光を照射する乱反射部１０ｄ、１０ｅが形成されている。図２に示すように、これら乱反射部１０ｄ、１０ｅは、表示部２ｄ、２ｅと対向する面に形成されている。乱反射部９ｄ、９ｅは、例えばシボ加工によって板状部７の表面に微細な凹凸として形成される。なお、上記乱反射部９ｄ、９ｅは、板状部７の上面ではなく、下面に形成されていてもよい。表示部２ｄ、２ｅに対向する板状部７に乱反射部１０ｄ、１０ｅを形成することにより、乱反射部１０ｄ、１０ｅにて乱反射した光を表示部２ｄ、２ｅに向けて照射することができ、表示部２ｄ、２ｅをより強調して発光させることができる。
【００３６】
表示部２ｄ、２ｅ付近の導光板６の構造を図２に基づいて説明したが、板状部７には、表示部２ａ〜２ｈに対応する位置に形成された乱反射部１０ａ〜１０ｈに光を導くための、受光部８ａ〜８ｈ、および反射部９ａ〜９ｈが、図２に示すような構造で設けられている。
【００３７】
更に、受光部８ｄと受光部８ｅとの間には、受光部８ｄ、反射部９ｄを経由してきた光が乱反射部１０ｅに導かれることを抑制し、また、受光部８ｅ、反射部９ｅを経由してきた光が乱反射部１０ｄに導かれることを抑制する貫通孔１１が形成されている。この貫通孔１１は、請求項に記載の第１の遮光部に相当する。
【００３８】
貫通孔１１は、図２中には１箇所のみ形成されているが、図１に示すように複数箇所形成される。貫通孔１１は、図１に示すように、インジケータ１を正面から見たとき、表示部と隣接する表示部との間に形成される遮光層５の下方にあたる部位に形成される。そして、貫通孔１１は、それぞれの表示部２ａ〜２ｈを囲うように形成される。しかしながら、貫通孔１１同士の端部は、接続されることなく形成されている。これにより、導光板６を一体物として形成することができる。
【００３９】
図２に示すように、導光板６の裏面側には、インジケータ１を含むコンビネーションメータの電気回路部を形成する基板１６が配置されている。この基板１６には、受光部８ｄ、８ｅに対応する位置に、インジケータ用光源１４ｄ、１４ｅが実装されている。そして、基板１６には、導光板６を支持する遮光壁１７が設けられている。更に、基板１６には、表示部２ｄ、２ｅの両方に光を照射することができる位置に、照明用光源１５ｂが実装されている。
【００４０】
基板１６上に実装されるインジケータ用光源１４ａ〜１４ｈ、照明用光源１５ａ、１５ｂの配置について更に詳細に説明する。インジケータ用光源１４ａ〜１４ｈは、受光部８ａ〜８ｈに対応する位置に実装されている。そして、照明用光源１５ａは、表示部２ａ〜２ｃを照らすことができる位置に実装され、照明用光源１５ｂは、表示部２ｄ〜２ｈを照らすことができる位置に実装されている。
【００４１】
次に、以上説明した本実施形態のインジケータ１の表示動作、見え方について図１および図２に基づいて説明する。
【００４２】
イグニッションスイッチがＯＮされると、照明用光源１５ａ、１５ｂが点灯し、照明用光源１５ａ、１５ｂからは所定の照射角を有して、全ての表示部２ａ〜２ｈに向けて光が照射される。照明用光源１５ａ、１５ｂから照射された光は、導光板６の板状部７および表示部２ａ〜２ｈを透過する（図２参照）。これにより、運転者は、表示部２ａ〜２ｈが発光しているかのように見え、表示部２ａ〜２ｈ自体の存在を認識することができる。
【００４３】
運転者が、シフトレバーを操作して、例えば、Ｄレンジにシフトレバーに切換えると、インジケータ用光源１４ｄが点灯する。このとき、他のインジケータ用光源１４ａ〜１４ｃ、１４ｅ〜１４ｈは消灯している。
【００４４】
インジケータ用光源１４ｄから受光部８ｄに向かって照射された光は、受光部８ｄに入射される。受光部８ｄに入射した光は、反射部９ｄに反射して板状部７に形成されている乱反射部１０ｄに入射される。
【００４５】
すると、乱反射部１０ｄに入射した光は、乱反射部１０ｄで乱反射し、表示部２ｄに向かって照射され、その光は、表示部２ｄを透過する（図２参照）。なお、乱反射部１０ｄには、上述したように照明用光源１５ｂからの光に加え、インジケータ用光源１４ｄからの光が入射するので、乱反射部１０ｄの輝度は、他の乱反射部１０ａ〜１０ｃ、１０ｅ〜１０ｈから表示部２ａ〜２ｃ、２ｅ〜２ｈの輝度に比べ、大きくなっている。このため、運転者は、表示部２ｄが他の表示部２ａ〜２ｃ、２ｅ〜２ｈよりも一段と明るく発光して見え、インジケータ１にどのような種類の表示部２ａ〜２ｈが存在しているかを認識しつつ、現在のレバーポジションがＤレンジ（表示部２ｄ）であると認識することができる。
【００４６】
また、インジケータ用光源１４ｄから照射された光は、受光部８ｄ、反射部９ｄ、乱反射部１０ｄまでは、途中に光を遮るものがないため、導光板６内を進むことができるが、本実施形態では、乱反射部１０ｄと乱反射部１０ｅとの間に貫通孔１１が形成されているので、乱反射部１０ｄ側から乱反射部１０ｅ側への光路を遮断され、乱反射部１０ｅへの光の漏れを抑制することができる（図２参照）。
【００４７】
乱反射部１０ｅへの光の漏れを抑制することができるので、表示部２ｄと、隣接する表示部２ｅとの明るさの差を大きくすることができ、表示部２ｄの発光をより強調することができる。インジケータ１の視認性が向上する。
【００４８】
本実施形態によれば、上述のように表示部２ａ〜２ｈ自体の存在を認識させる機能を維持するとともに、特定の表示部２ｄを発光させたとき、該特定の表示部２ｄを発光させるための光が該特定の表示部２ｄに隣接する表示部２ｅへ漏れ、該隣接する表示部２ｅも発光させてしまうことを抑制することができる。
【００４９】
また、本実施形態のように、２つ以上の同じ種類の表示部を有し、適宜、前記これらの表示部の位置を変えることができる表示板の裏面側に、受光部と板状部とを有し、前記受光部に入射した光を前記板状部に導く導光体が配置され、さらに、前記板状部は該２つの表示部に渡って配置され、加えて、基板上に実装されるインジケータ用光源は、前記受光部に照射可能な位置に実装されるという構成を備えることで、上述の作用効果とは別の作用効果がある。
【００５０】
従来、インジケータ用光源５００は、図９に示すように、表示部２００の真下に実装されていた。このようにインジケータ用光源５００を基板に実装する形式のものであると、例えば、図１に示すように、表示板３の表示部２ａ〜２ｈの配列パターンを車種毎に変えると（図１の実線で示す表示部２ａ〜２ｃ、２ｆを２点鎖線で示す隣接する位置に変えると）、インジケータ用光源５００も表示部２００の配列パターンに合わせて実装位置を変えなければならないし、基板の回路パターンも変えなければならない。このため、製造コストが上昇する恐れがある。
【００５１】
また、基板の回路パターンをあらゆる表示部２００の配列パターンに対応できるように設計しても、インジケータ用光源５００が実装されていない部分には、抵抗などの電気・電子部品などをインジケータ用光源５００の代わりに実装しておかなければならず、余分に部品が必要となり、製造コストが上昇する恐れがある。
【００５２】
一方、本実施形態のように、２つ以上の同じ種類の表示部を有し、適宜、前記これらの表示部の位置を変えることができる表示板の裏面側に、受光部と板状部とを有し、前記受光部に入射した光を前記板状部に導く導光体が配置され、さらに、前記板状部は該２つの表示部に渡って配置され、加えて、基板上に実装されるインジケータ用光源は、前記受光部に照射可能な位置に実装されるという構成を備えれば、例え、表示部２００の配列パターンが変わっても、基板上に実装されるインジケータ用光源５００の実装位置は変更する必要が無い。このため、基板の回路パターンは表示部２００の配列パターンに合わせて設計する必要が無いし、上述のような余分な電気・電子部品なども必要無い。よって、上述のような製造コストの上昇を抑制することができる。
【００５３】
また、照明用光源１５ａ、１５ｂは、輝度調整可能な光源であってもよい。例えば、照明用光源１５ａ、１５ｂの輝度を低下もしくは消灯するようにすれば、特定の表示部と他の表示部との明るさの差がより大きくなり、視認性が向上する。
【００５４】
更に、照明用光源１５ａ、１５ｂは、インジケータ用光源１４ａ〜１４ｂの発光色と異なるものを使用してもよい。これによれば、特定の表示部と他の表示部との区別を明確にすることができる。
【００５５】
請求項に記載の第１の遮光部として、図３に示すように、貫通孔１１に代えて反射板１３を導光板６の板状部７に埋め込んでもよい。この構成によれば、貫通孔１１を形成するよりも、遮光性を高めることができる。
【００５６】
本発明の表示装置を自動車用の表示装置（例えば、レバーポジションインジケータ）に用いると運転者に運転に必要な情報を正しく伝えることができるので、運転者は自動車を安全に走行させることができる。
【００５７】
（第２実施形態）
次に、本発明の第２実施形態によるインジケータの構成を図４に基づいて説明する。ここでは、第１実施形態と相違する特徴点のみ説明する。なお、第１実施形態と同一機能物は、第１実施形態と同一の符号を付す。図４は、導光板６の板状部７の中央付近を示す断面図である。
【００５８】
図４に示すように、導光板６の板状部７の中央付近、すなわち、表示部２ｄ、２ｅの下側にあたる部位には、傾斜面１２ｄ、１２ｅが形成されている。この傾斜面１２ｄ、１２ｅは、図示しない反射部９ｄ、９ｅで反射した光の進行方向に向かうに従い板状部７の板厚が小さくなるように形成されている。そして更に、それらの傾斜面１２ｄ、１２ｅには、乱反射部１０ｄ、１０ｅが形成されている。
【００５９】
板状部７を図４に示すような構成とすることで、板状部７を進む光を導光板６の壁面に反射させることなく乱反射部１０ｄ、１０ｅに効率よく導くことができるので、乱反射部１０ｄ、１０ｅにおける輝度を向上させることができ、表示部２ｄ、２ｅをより強調して発光させることができる。
【００６０】
また、本実施形態の変形例として、板状部７の構成を図５に示すようにしてもよい。図４のものとは、乱反射部１０ｄ、１０ｅが形成される場所が異なっている。図５に示すように、乱反射部１０ｄ、１０ｅは、傾斜面１２ｄ、１２ｅではなく、傾斜面１２ｄ、１２ｅと対面する面上に形成されている。
【００６１】
板状部７を図５に示すような構成とすることで、板状部７を進む光を一旦傾斜面１２ｄ、１２ｅで反射させ、この反射した光を乱反射部１０ｄ、１０ｅに効率よく導くことができるので、これによっても乱反射部１０ｄ、１０ｅにおける輝度を向上させることができ、表示部２ｄ、２ｅをより強調して発光させることができる。
【００６２】
（第３実施形態）
次に、本発明の第３実施形態によるインジケータの構成を図６に基づいて説明する。ここでは、第１実施形態と相違する特徴点のみ説明する。なお、第１実施形態と同一機能物は、第１実施形態と同一の符号を付す。
【００６３】
通常、発光ダイオードなどの光源は、点灯するとある程度の照射角で光を照射する。そして、照射される光は、中央部ほど光の強度が高く、径方向に行くほどその光の強度が低い。図１に示すように、照明用光源１５ｂを複数の表示部、例えば、表示部２ｄ〜２ｈを照らすべく、基板１６上に実装すると、上述したように照射された光は径方向に行くほど光の強度が低下するので、同じ表示部であっても、光源に近いほど輝度が高く、光源から離れるほど輝度が低くなる。表示部の発光にムラが発生してしまう。
【００６４】
本実施形態では、図６に示すように、導光板６の裏面側、すなわち導光板６と照明用光源１５ｂとの間に、拡散板１８を設けることによって、上述した問題を解決することを特徴としている。
【００６５】
拡散板１８は、透光性材料、例えば透明なポリカーボネート樹脂を母材とし、その母材の中にポリカーボネート樹脂製のビーズを拡散させることにより形成されている。そして、拡散板１８の下面であり、照明用光源１５ｂに対向する部位には、照明用光源１５ｂからの光を受光し、可能な限り径方向に光を拡散することができるようなレンズ部１９が形成されている。このレンズ部１９とビーズとの働きにより、拡散板１８の上面からは、光のムラが低減された光が導光板６に向かって照射される。これにより、照明用光源１５ｂを点灯したときの、表示部２ｄ、２ｅの発光ムラを低減することができる。
【００６６】
また、本実施形態の変形例として、拡散板１８の構成を図７に示すようにしてもよい。この変形例では、図７に示すように拡散板１８の上面に突起２０を設け、その突起２０を導光板６に形成された貫通孔１１に挿入するようにしている。この構成によれば、微量ながら貫通孔１１の壁面から漏れる光をこの突起２０によって遮光することができる。
【００６７】
更に別の変形例として、上述の拡散板１８ではなく、導光板６と照明用光源１５ｂとの間の構成を図８に示すようにしてもよい。この変形例では、光源１５ｂから照射される比較的光の強度の高い中央部の光を直接表示部２ｄ、２ｅに入射させないよう、照明用光源１５ｂの真上付近に第２の遮光部としての遮光板２１を設けている。
【００６８】
このように構成すれば、表示部２ｄ、２ｅには、照明用光源１５ｂからの光が直接入射されることなく、間接的に入射されるので、照明用光源１５ｂを点灯したときの、表示部２ｄ、２ｅの発光ムラを低減することができる。
【図面の簡単な説明】
【００６９】
【図１】本発明の第１実施形態によるレバーポジションインジケータの平面図。
【図２】図１のレバーポジションインジケータのＩＩ−ＩＩ線断面図。
【図３】本発明の第１実施形態の変形例によるレバーポジションインジケータの部分断面図。
【図４】本発明の第２実施形態によるレバーポジションインジケータの部分断面図。
【図５】本発明の第２実施形態の変形例によるレバーポジションインジケータの部分断面図。
【図６】本発明の第３実施形態によるレバーポジションインジケータの断面図。
【図７】本発明の第３実施形態の第１変形例によるレバーポジションインジケータの断面図。
【図８】本発明の第３実施形態の第２変形例によるレバーポジションインジケータの断面図。
【図９】従来技術によるインジケータ装置の断面図。
【符号の説明】
【００７０】
１              レバーポジションインジケータ（表示装置）
２ａ〜２ｈ      表示部（第１、第２の表示部）
３              表示板
４              平板
５              遮光層
６              導光板（導光体）
７              板状部
８ａ〜８ｈ      受光部（第１、第２の受光部）
９ａ〜９ｈ      反射部
１０ａ〜１０ｈ  乱反射部
１１            貫通孔（第１の遮光部）
１２ｄ、１２ｅ  傾斜面
１３            反射板（第１の遮光部）
１４ａ〜１４ｈ  インジケータ用光源
１５ａ、１５ｂ  照明用光源
１６            基板
１７            遮光壁
１８            拡散板
１９            レンズ部
２０            突起
２１            遮光板（第２の遮光部）
１００          インジケータ装置
２００          表示部
３００          導光板
４００          夜間照明用光源
５００          インジケータ用光源
６００          環状突起部材
７００          反射面
８００          ハウジング
【図１】
2008040167.tif 000003
【図２】
2008040167.tif 000004
【図３】
2008040167.tif 000005
【図４】
2008040167.tif 000006
【図５】
2008040167.tif 000007
【図６】
2008040167.tif 000008
【図７】
2008040167.tif 000009
【図８】
2008040167.tif 000010
【図９】
2008040167.tif 000011